(57)【特許請求の範囲】
【請求項１】
無線セルラー通信ネットワークにおいて、少なくとも１つの移動端末が複数の周波数帯域を通じてデータを転送及び／又は受信することを可能にする方法であって、
前記少なくとも１つの移動端末は、少なくとも１つの周波数帯域を通じてデータを転送及び／又は受信することができる通信デバイスによってサービングされる、方法において、
該方法は、前記通信デバイスによって実行される複数のステップとして、
‐前記少なくとも１つの移動端末の少なくとも１つの移動端末キャリアアグリゲーション能力を取得するステップと、
‐前記少なくとも１つの移動端末キャリアアグリゲーション能力から前記通信デバイスの協調キャリアアグリゲーション能力Ｃを求めるステップと、
‐前記協調キャリアアグリゲーション能力Ｃを前記無線セルラー通信ネットワークの集中化デバイスに転送するステップと、
‐少なくとも１つの近傍通信デバイスに関連する情報を、前記無線セルラー通信ネットワークの前記集中化デバイスに転送するステップと、
‐前記集中化デバイスから、前記通信デバイスが前記移動端末との通信のために用いなくてはならない少なくとも１つの周波数帯域を示す情報を受信するステップと、
‐前記通信デバイスによってサービングされている各移動端末に、前記通信デバイスが前記移動端末との通信のために用いなくてはならない前記少なくとも１つの周波数帯域を通じて制御シグナリングを転送するステップと、
を含むことを特徴とする、方法。
【請求項２】
前記制御シグナリングは、前記移動端末に関連するデータが転送されかつ前記通信デバイスに割り当てられない少なくとも１つの周波数帯域を示すことを特徴とする、請求項１に記載の方法。
【請求項３】
前記方法は、前記通信デバイスのキャリアアグリゲーション能力Ｃ’を前記集中化デバイスに転送する更なるステップを含むことを特徴とする、請求項１又は２に記載の方法。
【請求項４】
前記協調キャリアアグリゲーション能力Ｃは、以下の項目、すなわち、
‐各前記取得された移動端末キャリアアグリゲーション能力のうちで最大の移動端末キャリアアグリゲーション能力、
‐各前記取得された移動端末キャリアアグリゲーション能力の一部分のうち最大の移動端末キャリアアグリゲーション能力、
‐前記通信デバイスの通信デバイスキャリアアグリゲーション能力と、各前記取得された移動端末キャリアアグリゲーション能力のうちで最大の移動端末キャリアアグリゲーション能力とのうちの最大値、及び
‐前記通信デバイスの前記通信デバイスキャリアアグリゲーション能力と、各前記取得された移動端末キャリアアグリゲーション能力の一部分のうちで最大の移動端末キャリアアグリゲーション能力とのうちの最大値、
のうちの１つであることを特徴とする、請求項１〜３のいずれか一項に記載の方法。
【請求項５】
無線セルラー通信ネットワークにおいて、少なくとも１つの移動端末と通信するのにいずれの周波数帯域が用いられなくてはならないかを求める方法であって、
前記少なくとも１つの移動端末は、少なくとも１つの周波数帯域を通じて該少なくとも１つの移動端末と通信することができる通信デバイスによってサービングされる、方法において、
該方法は、前記無線セルラー通信ネットワークの集中化デバイスによって実行される複数のステップとして、
‐前記通信デバイスから、該通信デバイスの協調キャリアアグリゲーション能力Ｃを受信するステップと、
‐前記通信デバイスから、該通信デバイスの近傍通信デバイスの少なくとも１つに関連する情報を受信するステップと、
‐前記通信デバイス及び前記少なくとも１つの近傍通信デバイスについて、
・該通信デバイスが前記少なくとも１つの移動端末と通信するのに用いなくてはならない前記少なくとも１つの周波数帯域と、
・前記少なくとも１つの近傍通信デバイスが前記少なくとも１つの移動端末又は別の移動端末と通信するのに用いなくてはならない前記少なくとも１つの周波数帯域と
を求めるステップと、
‐前記通信デバイスに、該通信デバイスが前記少なくとも１つの移動端末と通信するのに用いなくてはならない前記少なくとも１つの周波数帯域を該通信デバイスに示す情報を転送するステップと、
を含むことを特徴とする、方法。
【請求項６】
前記集中化デバイスは、前記通信デバイスに、前記少なくとも１つの近傍通信デバイスと、前記少なくとも１つの移動端末又は別の移動端末との間でデータを転送するのに用いられる前記少なくとも１つの周波数帯域を前記少なくとも１つの近傍通信デバイスに示す少なくとも１つの情報を更に転送することを特徴とする、請求項５に記載の方法。
【請求項７】
前記方法は、前記集中化デバイスによって実行される、前記通信デバイスのキャリアアグリゲーション能力Ｃ’を受信する更なるステップを含むことを特徴とし、並びに、
前記方法において、
‐前記通信デバイスが前記少なくとも１つの移動端末と通信するのに用いなくてはならない前記少なくとも１つの周波数帯域、及び
‐前記少なくとも１つの近傍通信デバイスが該近傍通信デバイスと前記少なくとも１つの移動端末又は別の移動端末との間でデータを転送するのに用いなくてはならない前記少なくとも１つの周波数帯域
は、各前記通信デバイスの前記協調キャリアアグリゲーション能力Ｃ及び各前記通信デバイスの前記キャリアアグリゲーション能力Ｃ’に従って求められることを特徴とする、請求項５に記載の方法。
【請求項８】
前記方法は、前記集中化デバイスによって実行される、前記通信デバイスについて近傍通信デバイスのグラフを求める更なるステップを含むことを特徴とする、請求項５〜７のいずれか一項に記載の方法。
【請求項９】
前記方法は、前記集中化デバイスによって実行される、各通信デバイスについて少なくとも１つのクリークを求める更なるステップを含むことを特徴とし、
クリークは、前記通信デバイスと、その通信デバイスと無線接続を有する前記近傍通信デバイスの少なくとも一部とを含み、
各前記通信デバイスは、無線接続によって互いにリンクされるか、又は、無線接続を有しない２つの通信デバイス間に作成された仮想無線接続によって互いにリンクされる、請求項８に記載の方法。
【請求項１０】
通信デバイスのクリークは、最大で、該クリークの前記通信デバイスに割り当てられる周波数帯域の総数が前記協調キャリアアグリゲーション能力に等しくなるような数の通信デバイスを含むことを特徴とする、請求項９に記載の方法。
【請求項１１】
通信デバイスの前記協調キャリアアグリゲーション能力が１を上回っている場合、前記方法は、前記集中化デバイスによって実行される、近傍通信デバイスの前記グラフを求める前に前記通信デバイスを複製する更なるステップを含むことを特徴とする、請求項８に記載の方法。
【請求項１２】
前記通信デバイスが前記移動端末と通信するのに用いなくてはならない前記少なくとも１つの周波数帯域、及び、
前記少なくとも１つの近傍通信デバイスが、該近傍通信デバイスと前記移動端末又は前記別の移動端末との間でデータを転送するのに用いなくてはならない前記少なくとも１つの周波数帯域
は、彩色アルゴリズムを用いて求められることを特徴とする、請求項５〜１１のいずれか一項に記載の方法。
【請求項１３】
無線セルラー通信ネットワークにおいて、少なくとも１つの移動端末が複数の周波数帯域を通じてデータを転送及び／又は受信することを可能にする装置であって、
前記少なくとも１つの移動端末は、少なくとも１つの周波数帯域を通じてデータを転送及び／又は受信することができる通信デバイスによってサービングされる、装置において、
前記装置は、前記通信デバイスに含まれ、
前記装置は、
‐前記少なくとも１つの移動端末の少なくとも１つの移動端末キャリアアグリゲーション能力を取得する手段と、
‐前記少なくとも１つの移動端末キャリアアグリゲーション能力から前記通信デバイスの協調キャリアアグリゲーション能力Ｃを求める手段と、
‐前記協調キャリアアグリゲーション能力Ｃを前記無線セルラー通信ネットワークの集中化デバイスに転送する手段と、
‐少なくとも１つの近傍通信デバイスに関連する情報を、前記無線セルラー通信ネットワークの前記集中化デバイスに転送する手段と、
‐前記集中化デバイスから、前記通信デバイスが前記移動端末との通信のために用いなくてはならない少なくとも１つの周波数帯域を示す情報を受信する手段と、
‐前記通信デバイスによってサービングされている各移動端末に、前記通信デバイスが前記移動端末との通信のために用いなくてはならない前記少なくとも１つの周波数帯域を通じて制御シグナリングを転送する手段と、
を備えることを特徴とする、装置。
【請求項１４】
無線セルラー通信ネットワークにおいて、少なくとも１つの移動端末と通信するのにいずれの周波数帯域が用いられなくてはならないかを求める集中化デバイスであって、
前記少なくとも１つの移動端末は、少なくとも１つの周波数帯域を通じて該少なくとも１つの移動端末と通信することができる通信デバイスによってサービングされる、集中化デバイスにおいて、
該集中化デバイスは、
‐前記通信デバイスから、該通信デバイスの協調キャリアアグリゲーション能力Ｃを受信する手段と、
‐前記通信デバイスから、該通信デバイスの少なくとも１つの近傍通信デバイスに関連する情報を受信する手段と、
‐前記通信デバイス及び前記少なくとも１つの近傍通信デバイスについて、
・該通信デバイスが前記少なくとも１つの移動端末と通信するのに用いなくてはならない前記少なくとも１つの周波数帯域と、
・前記少なくとも１つの近傍通信デバイスが前記少なくとも１つの移動端末又は別の移動端末と通信するのに用いなくてはならない少なくとも１つの周波数帯域と
を求める手段と、
‐前記通信デバイスに、該通信デバイスが前記少なくとも１つの移動端末と通信するのに用いなくてはならない前記少なくとも１つの周波数帯域を該通信デバイスに示す情報を転送する手段と、
を備えることを特徴とする、集中化デバイス。
【発明の詳細な説明】
【技術分野】
【０００１】
本発明は、概して、無線セルラー通信ネットワークにおいて、少なくとも１つの移動端末が複数の周波数帯域を通じてデータを転送及び／又は受信することを可能にする方法及び装置に関する。
【背景技術】
【０００２】
無線セルラー通信ネットワークは大規模に展開されているが、依然として、無線セルラー通信ネットワークの基地局によってカバーされていないいくつかのエリアがある。基地局は、所与の計画に従って事業者によって展開される。
【０００３】
例えば、基地局及び／又は移動端末によって放射された信号が過度に減衰している場合、無線セルラー通信ネットワークへのアクセスは、可能でない場合もあれば、建物内に位置する移動端末のために、過度に高い送信電力又は過度に低いスペクトル効率、すなわち過度に多くのシステムリソースを必要とする場合もある。
【０００４】
解決策が目下提案されている。必ずしも事業者によって展開されているわけでなく、このため所与の計画に従わない特定の基地局（フェムト基地局、ピコ基地局、又は中継器等であり、以下ではホーム基地局と呼ぶ）が、大規模に展開されており、建物内のカバレッジエリア及び基地局オフロードを提供することができる。中継器は、屋外カバレッジの拡張を提供することもできる。
【０００５】
ホーム基地局は、限られた数の移動端末が、それぞれのリソースを通じて無線セルラー通信ネットワークにアクセスすることを可能にすることができる。ホーム基地局を通じてネットワークのリソースにアクセスすることを許可される移動端末は、ホーム基地局の所有者によって、ネットワークによって、又は双方の組み合わせによって、決定することができる。
【０００６】
ここで、「所有者」は一般的な意味で理解されなくてはならない。すなわち、所有者は、単にホーム基地局の主ユーザー(the main user)とすることもできるし、ホーム基地局を貸している人物または借りている人物とすることもできるし、自身の家又は事務所にホーム基地局を収容している人物とすることもできる。
【０００７】
例えば、ホーム基地局の所有者の移動端末及び所有者の家族の移動端末のみが、該ホーム基地局を通じて無線セルラー通信ネットワークにアクセスすることができる。これらの移動端末はホーム基地局に関連付けられる。
【０００８】
ホーム基地局及び基地局は、以下で「通信デバイス」と呼ばれる。
【０００９】
移動端末との通信のために通信デバイスに割り当てられるリソース（周波数帯域等）は、該通信デバイスによってカバーされるエリア内に位置する許可された移動端末が全くないか又は僅かしかない限り、或る特定の時間期間中、用いられないか又は部分的に用いられる場合がある。
【００１０】
用いられないリソースが他の通信デバイス及び他の移動端末に有用である可能性がある限り、そのような状況によって、無線セルラー通信ネットワークの全体性能が低下する。
【００１１】
ホーム基地局は、一般に、基地局と比較して限定された性能を有する。例えば、基地局は、複数の周波数帯域において信号を同時に転送又は受信する能力を有することができ、ホーム基地局は、限られた量の周波数帯域において信号を同時に転送又は受信する能力を有することができる。
【００１２】
新世代の移動端末は、ある移動端末が、複数の周波数帯域上で信号を同時に転送又は受信することを可能する。
【発明の概要】
【発明が解決しようとする課題】
【００１３】
本発明は、無線セルラー通信ネットワークの全体性能を増大させるために、通信デバイスに割り当てられたリソースの使用を増大させることを目的とする。
【課題を解決するための手段】
【００１４】
その目的のために、本発明は、
無線セルラー通信ネットワークにおいて、少なくとも１つの移動端末が複数の周波数帯域を通じてデータを転送及び／又は受信することを可能にする方法であって、
前記少なくとも１つの移動端末は、少なくとも１つの周波数帯域を通じてデータを転送及び／又は受信することができる通信デバイスによってサービングされる、方法において、
該方法は、前記通信デバイスによって実行される複数のステップとして、
‐前記少なくとも１つの移動端末の少なくとも１つの移動端末キャリアアグリゲーション能力を取得するステップと、
‐前記少なくとも１つの移動端末キャリアアグリゲーション能力から前記通信デバイスの協調キャリアアグリゲーション能力Ｃを求めるステップと、
‐前記協調キャリアアグリゲーション能力Ｃを前記無線セルラー通信ネットワークの集中化デバイスに転送するステップと、
‐少なくとも１つの近傍通信デバイスに関連する情報を、前記無線セルラー通信ネットワークの前記集中化デバイスに転送するステップと、
‐前記集中化デバイスから、前記通信デバイスが前記移動端末との通信のために用いなくてはならない少なくとも１つの周波数帯域を示す情報を受信するステップと、
‐前記少なくとも１つの通信デバイスに、前記通信デバイスが前記移動端末との通信のために用いなくてはならない前記少なくとも１つの周波数帯域を通じて制御シグナリングを転送するステップと、
を含むことを特徴とする方法に関する。
【００１５】
本発明はまた、
無線セルラー通信ネットワークにおいて、少なくとも１つの移動端末が複数の周波数帯域を通じてデータを転送及び／又は受信することを可能にする装置であって、
前記少なくとも１つの移動端末は、少なくとも１つの周波数帯域を通じてデータを転送及び／又は受信することができる通信デバイスによってサービングされる、装置において、
前記装置は、前記通信デバイスに含まれ、
前記装置は、
‐前記少なくとも１つの移動端末の少なくとも１つの移動端末キャリアアグリゲーション能力を取得する手段と、
‐前記少なくとも１つの移動端末キャリアアグリゲーション能力から前記通信デバイスの協調キャリアアグリゲーション能力Ｃを求める手段と、
‐前記協調キャリアアグリゲーション能力Ｃを前記無線セルラー通信ネットワークの集中化デバイスに転送する手段と、
‐少なくとも１つの近傍通信デバイスに関連する情報を、前記無線セルラー通信ネットワークの前記集中化デバイスに転送する手段と、
‐前記集中化デバイスから、前記通信デバイスが前記移動端末との通信のために用いなくてはならない少なくとも１つの周波数帯域を示す情報を受信する手段と、
‐前記少なくとも１つの通信デバイスに、前記通信デバイスが前記移動端末との通信のために用いなくてはならない前記少なくとも１つの周波数帯域を通じて制御シグナリングを転送する手段と、
を備えることを特徴とする装置に関する。
【００１６】
このため、ホーム基地局又は基地局又は中継器のような通信デバイスに割り当てられるリソースは、より効率的に用いられる。このとき、無線セルラー通信ネットワークの全体性能が改善する。
【００１７】
特定の特徴によれば、前記制御シグナリングは、前記移動端末に関連するデータが転送されかつ前記通信デバイスに割り当てられない少なくとも１つの周波数帯域を示す。
【００１８】
このため、移動端末をサービングしている通信デバイスが、移動端末キャリアアグリゲーション能力より低いキャリアアグリゲーション能力を有する場合であっても、移動端末は、データを様々な周波数帯域上で様々な通信デバイスに対し転送及び／又は受信することができるので、複数の周波数帯域を通じてデータを転送及び／又は受信することが可能であるという利益を得ることができる。サービング通信デバイスによって制御シグナリングが送信されるので、協調マルチポイント送信とも呼ばれるこのマルチポイント送信は、移動端末に対しトランスペアレントである。
【００１９】
特定の特徴によれば、前記通信デバイスは、前記通信デバイスのキャリアアグリゲーション能力Ｃ’を前記集中化デバイスに更に転送する。
【００２０】
このため、集中化デバイスは、Ｃ’個の周波数帯域を通信デバイスに割り当てることができ、通信デバイスは、近傍通信デバイスとともに協調マルチポイント送信を用いることなくセルスループットを改善するために、該通信デバイスのキャリアアグリゲーション能力の利益を得ることができる。
【００２１】
特定の特徴によれば、前記協調キャリアアグリゲーション能力Ｃは、以下の項目、すなわち、
‐各前記取得された移動端末キャリアアグリゲーション能力のうちで最大の移動端末キャリアアグリゲーション能力、
‐各前記取得された移動端末キャリアアグリゲーション能力の一部分のうちで最大の移動端末キャリアアグリゲーション能力、
‐前記通信デバイスの通信デバイスキャリアアグリゲーション能力と、各前記取得された移動端末キャリアアグリゲーション能力のうちで最大の移動端末キャリアアグリゲーション能力とのうちの最大値、及び
‐前記通信デバイスの前記通信デバイスキャリアアグリゲーション能力と、各前記取得された移動端末キャリアアグリゲーション能力の一部分のうちで最大の移動端末キャリアアグリゲーション能力とのうちの最大値、
のうちの１つである。
【００２２】
このため、協調キャリアアグリゲーション能力は、所与の移動端末に割り当てられる周波数帯域数の観点で、所与の通信デバイス及び該通信デバイスが通常サービングしている移動端末の要求を適切に反映する。この結果、近傍の通信デバイスに過度に多くの異なる周波数帯域を割り当てることが無用である場合、それを行わない。
【００２３】
本発明はまた、
無線セルラー通信ネットワークにおいて、少なくとも１つの移動端末と通信するのにいずれの周波数帯域が用いられなくてはならないかを求める方法であって、
前記少なくとも１つの移動端末は、少なくとも１つの周波数帯域を通じて該少なくとも１つの移動端末と通信することができる通信デバイスによってサービングされる、方法において、
該方法は、前記無線セルラー通信ネットワークの集中化デバイスによって実行される複数のステップとして、
‐前記通信デバイスから、該通信デバイスの協調移動端末キャリアアグリゲーション能力Ｃを受信するステップと、
‐前記通信デバイスから、該通信デバイスの近傍通信デバイスの少なくとも１つに関連する情報を受信するステップと、
‐前記通信デバイス及び前記少なくとも１つの近傍通信デバイスについて、
・該通信デバイスが前記少なくとも１つの移動端末と通信するのに用いなくてはならない前記少なくとも１つの周波数帯域と、
・前記少なくとも１つの近傍通信デバイスが前記少なくとも１つの移動端末又は別の移動端末と通信するのに用いなくてはならない前記少なくとも１つの周波数帯域と
を求めるステップと、
‐前記通信デバイスに、該通信デバイスが前記少なくとも１つの移動端末と通信するのに用いなくてはならない前記少なくとも１つの周波数帯域を該通信デバイスに示す情報を転送するステップと、
を含むことを特徴とする、方法に関する。
【００２４】
本発明はまた、
無線セルラー通信ネットワークにおいて、少なくとも１つの移動端末と通信するのにいずれの周波数帯域が用いられなくてはならないかを求める集中化デバイスであって、
前記少なくとも１つの移動端末は、少なくとも１つの周波数帯域を通じて該少なくとも１つの移動端末と通信することができる通信デバイスによってサービングされる、集中化デバイスにおいて、
該集中化デバイスは、
‐前記通信デバイスから、該通信デバイスの協調移動端末キャリアアグリゲーション能力Ｃを受信する手段と、
‐前記通信デバイスから、該通信デバイスの近傍通信デバイスの少なくとも１つに関連する情報を受信する手段と、
‐前記通信デバイス及び前記少なくとも１つの近傍通信デバイスについて、
・該通信デバイスが前記少なくとも１つの移動端末と通信するのに用いなくてはならない前記少なくとも１つの周波数帯域と、
・前記少なくとも１つの近傍通信デバイスが前記少なくとも１つの移動端末又は別の移動端末と通信するのに用いなくてはならない少なくとも１つの周波数帯域と
を求める手段と、
‐前記通信デバイスに、該通信デバイスが前記少なくとも１つの移動端末と通信するのに用いなくてはならない前記少なくとも１つの周波数帯域を該通信デバイスに示す情報を転送する手段と、
を備えることを特徴とする、集中化デバイスに関する。
【００２５】
このため、ホーム基地局又は基地局又は中継器のような通信デバイスに割り当てられるリソースは、より効率的に用いられる。このとき、無線セルラー通信ネットワークの全体性能が改善する。
【００２６】
移動端末をサービングしている通信デバイスが、移動端末キャリアアグリゲーション能力より低いキャリアアグリゲーション能力を有する場合であっても、移動端末は、複数の周波数帯域を通じてデータを転送及び／又は受信することが可能であるという利益を得ることができる。
【００２７】
特定の特徴によれば、前記集中化デバイスは、前記通信デバイスに、前記少なくとも１つの近傍通信デバイスと、前記少なくとも１つの移動端末又は別の移動端末との間でデータを転送するのに用いられる前記少なくとも１つの周波数帯域を前記少なくとも１つの近傍通信デバイスに示す少なくとも１つの情報を更に転送する。
【００２８】
このため、通信デバイスは、該通信デバイスがサービングしている移動端末からの報告に頼る必要なく、該通信デバイスが少なくとも１つの近傍デバイスとともに実行できる協調マルチポイント送信のタイプ（すなわち、いずれの周波数帯域においてマルチポイント送信を実行できるか）を通知される。
【００２９】
特定の特徴によれば、前記集中化デバイスは、各前記通信デバイスのキャリアアグリゲーション能力Ｃ’を受信し、
‐前記通信デバイスが前記少なくとも１つの移動端末と通信するのに用いなくてはならない前記少なくとも１つの周波数帯域と、
‐前記少なくとも１つの近傍通信デバイスが該近傍通信デバイスと前記少なくとも１つの移動端末又は別の移動端末との間でデータを転送するのに用いなくてはならない前記少なくとも１つの周波数帯域と
は、各前記通信デバイスの前記協調キャリアアグリゲーション能力Ｃ及び各前記通信デバイスの前記キャリアアグリゲーション能力Ｃ’に従って求められる。
【００３０】
このため、集中化デバイスは、１つの通信デバイスにＣ’個の周波数帯域を割り当てることができ、通信デバイスは、近傍通信デバイスとともに協調マルチポイント送信を用いることなくセルスループットを改善するために、該通信デバイスのキャリアアグリゲーション能力の利益を得ることができる。
【００３１】
特定の特徴によれば、前記集中化デバイスは、前記通信デバイスについて近傍通信デバイスのグラフを求める。
【００３２】
このため、グラフを通じて、集中化デバイスは通信デバイス間の接続の良好な大域的知識を有する。２つの通信デバイス間のリンク又は接続は、結果として、通信デバイスに周波数帯域を割り当てる際の制約となる。このため、適切なグラフを用いれば、集中化デバイスは、接続されていない２つの通信デバイスに周波数帯域を割り当てる際に制約が存在しないことを知る。
【００３３】
特定の特徴によれば、前記集中化デバイスは、各通信デバイスについて少なくとも１つのクリークを求め、クリークは、前記通信デバイスと、該通信デバイスとの無線接続を有する前記近傍通信デバイスの少なくとも一部とを含み、各前記通信デバイスは無線接続によって、又は無線接続を有しない２つの通信デバイス間に作成された仮想無線接続によって互いにリンクされる。
【００３４】
このため、あるクリークの異なる通信デバイスには異なる周波数帯域が割り当てられ、サイズＸのクリークでは、各通信デバイスが単一の周波数帯域を割り当てられる場合、クリークに属する通信デバイスから同じ移動端末に対しＸ個の周波数帯域上でデータを送信及び／又は受信することが可能になる。クリークのいくつかの通信デバイスが２つ以上の周波数帯域を割り当てられている場合、クリークに属する通信デバイスから同じ移動端末に対しＸ個より多くの周波数帯域上でデータを送信及び／又は受信することが更に可能になる。
【００３５】
特定の特徴によれば、通信デバイスのクリークは、最大で、該クリークの前記通信デバイスに割り当てられる周波数帯域の総数が前記協調キャリアアグリゲーション能力に等しくなるような数の通信デバイスを含む。
【００３６】
このため、グラフ内の接続は、各通信デバイスにおいて実際に必要とされるものに限定され、システム内の周波数帯域数を最小にすることもできるし、協調マルチポイント送信の使用を所与の周波数帯域数について最適化することもできる。
【００３７】
特定の特徴によれば、通信デバイスの前記キャリアアグリゲーション能力が１を上回っている場合、前記集中化デバイスは、近傍通信デバイスの前記グラフを求める前に前記通信デバイスを複製する。
【００３８】
このため、複製後、通信デバイスへの周波数帯域の割り当ては、全ての通信デバイスが単一の周波数帯域上で送信及び受信しているものとみなすことができるので、単純化される。
【００３９】
特定の特徴によれば、
‐前記通信デバイスが前記移動端末と通信するのに用いなくてはならない前記少なくとも１つの周波数帯域と、
‐前記少なくとも１つの近傍通信デバイスが、該近傍通信デバイスと前記移動端末又は前記別の移動端末との間でデータを転送するのに用いなくてはならない前記少なくとも１つの周波数帯域と
は、彩色アルゴリズムを用いて求められる。
【００４０】
このため、１つの周波数帯域を１つの色によって表し、色数を最適化する彩色アルゴリズム用いることによって、必要な周波数帯域数が最小にされる。
【００４１】
さらに、所与のグラフ接続について、すなわち、通信デバイス間の所与の無線接続構成については、周波数帯域数が最小にされ、より良好な周波数再利用が得られる。他方で、所与の利用可能な周波数帯域数については、より良好なグラフ接続が可能にされ、すなわち、通信デバイスはより多くの近傍通信デバイスを有し、協調マルチポイント送信が最適化される。
【００４２】
更に別の態様によれば、本発明は、プログラマブルデバイス内に直接ロード可能とすることができるコンピュータープログラムであって、該コンピュータープログラムがプログラマブルデバイスで実行されると、本発明による方法の各ステップを実施するための命令又はコード部を含む、コンピュータープログラムに関する。
【００４３】
本発明は、格納された情報がコンピューターによって読み取られ、プロセッサによって実行されると、上述した方法を、その様々な実施の形態のうちの任意のものにおいて実施するための、プロセッサによって実行することができる命令の組を含むコンピュータープログラムを格納する、情報格納手段にも関する。
【００４４】
コンピュータープログラムに関する特徴及び利点は、本発明による方法及びデバイスに関連して上述したものと同じであるので、ここでは繰り返さないことにする。
【００４５】
本発明の特徴は、以下２例の実施形態の説明を読むことによってより明らかになる。該説明は、添付図面に関して作成されたものである。
【図面の簡単な説明】
【００４６】
【図１】本発明が実施される無線セルラー通信ネットワークを表す図である。
【図２】本発明が実施される通信デバイスのアーキテクチャを表す図である。
【図３】本発明が実施される基地局のアーキテクチャを表す図である。
【図４】本発明が実施されるサーバーのアーキテクチャを表す図である。
【図５】本発明に従って各通信デバイスによって実行されるアルゴリズムの一例を開示する図である。
【図６】本発明の第１の実現モードに従ってサーバー又は基地局によって実行される第１のアルゴリズムの一例を開示する図である。
【図７】本発明の第２の実現モードに従ってサーバー又は基地局によって実行される第２のアルゴリズムの一例を開示する図である。
【図８】本発明の第１の実現モード及び第２の実現モードに従ってサーバー又は基地局によって実行される第３のアルゴリズムの一例を開示する図である。
【発明を実施するための形態】
【００４７】
図１は、本発明が実施される無線セルラー通信ネットワークを表している。
【００４８】
図１では、無線セルラー通信ネットワークの５つの通信デバイスＴｄ１、Ｔｄ２、Ｔｄ３、Ｔｄ４、及びＴｄ５が示されている。
【００４９】
通信デバイスＴｄ１、Ｔｄ２、Ｔｄ３、Ｔｄ４、及びＴｄ５は、ホーム基地局及び／又は基地局及び／又は中継器である。
【００５０】
例えば、中継器は、無線セルラー通信ネットワークの、基地局ＢＳとの無線リンクを介して該無線セルラー通信ネットワークに接続されたホーム基地局である。
【００５１】
通信デバイスＴｄ１〜Ｔｄ５がホーム基地局である場合、それらのホーム基地局は、この場合、本発明によれば集中化デバイスとすることができる基地局ＢＳのセル内に位置する。
【００５２】
サーバーＳｅｒｖは、通信デバイスＴｄ１〜Ｔｄ５を処理することができ、本発明によるアルゴリズムの一部を実行することができる。サーバーＳｅｒｖは、本発明による集中化デバイスである。
【００５３】
一変形形態によれば、サーバーＳｅｒｖは１つの基地局ＢＳ内に含まれる。
【００５４】
５つの通信デバイスＴｄ１〜Ｔｄ５及び１つの基地局ＢＳのみが示されているが、無線セルラー通信ネットワーク内に、より多数又はより少数（a more or less important number）の通信デバイス及び／又は基地局ＢＳが存在するときに本発明が機能することを理解することができる。
【００５５】
各通信デバイスＴｄ、サーバーＳｅｒｖ、及び基地局ＢＳを、バックボーンネットワークによってリンクすることができる。
【００５６】
通信デバイスＴｄは、該通信デバイスＴｄのそれぞれのセル内に位置する移動端末ＭＴをサービングする（サービスを提供する）。
【００５７】
通信デバイスＴｄ１は移動端末ＭＴ１をサービングする。
【００５８】
移動端末ＭＴ１は、通信デバイスＴｄ２及びＴｄ３に近接している。移動端末ＭＴ１は、通信デバイスＴｄ２及びＴｄ３によって転送された信号を受信する。
【００５９】
明確にするために、図１には１つの移動端末ＭＴ１のみが示されているが、より多数の移動端末が存在するときに本発明が機能することを理解することができる。
【００６０】
通信デバイスＴｄ（例えば通信デバイスＴｄ１）がホーム基地局である場合、該通信デバイスＴｄ１はホーム内に位置することができ、該通信デバイスＴｄ１に関連付けられた各移動端末ＭＴが無線セルラー通信ネットワークにアクセスすることを可能にすることができる。
【００６１】
例えば、通信デバイスＴｄ１及び移動端末ＭＴ１は、通信デバイスＴｄ１が移動端末ＭＴ１の所有者のものであるとき、又は通信デバイスＴｄ１が移動端末ＭＴ１の所有者の家族若しくは友人のものであるときに関連付けられる。
【００６２】
ホーム基地局に関連付けられた移動端末は、ホーム基地局のクローズド加入者グループ（ＣＳＧ）に属してもよい。
【００６３】
移動端末ＭＴが通信デバイスＴｄによってサービングされているとき、移動端末ＭＴは、通信デバイスＴｄを通じて、リモートの通信デバイスとの通信を受信又は確立又は継続することができる。
【００６４】
通信デバイスＴｄ１は、通信デバイスＴｄ１のエリア又はセル内に位置する移動端末ＭＴ１によって転送された信号を受信することができる。通信デバイスＴｄ１は、移動端末ＭＴ１によって受信及び処理することができる信号を転送する。
【００６５】
無線セルラー通信ネットワークにおいて、基地局展開及びホーム基地局を混合した異種展開は、無線ローカルエリアネットワークに匹敵する大きな地理的エリア内の移動性及び高データスループットの双方を保証する効果的な方法であると予見されている。
【００６６】
協調マルチポイント送信（ＣｏＭＰ）は、異なる複数の通信デバイスＴｄと１つの同じ移動端末ＭＴとの間の複数の信号送信を可能にすることによって、より良好なセルエッジスループットを保証する。
【００６７】
また、キャリアアグリゲーションは、通信デバイスＴｄが、異なる中心キャリア周波数を有するいくつかの周波数帯域上でデータを送信及び／又は受信することを可能にすることによってスループット増大を保証する。キャリアアグリゲーションは、例えば４０ＭＨｚの単一帯域幅の代わりに２０ＭＨｚの２つの帯域幅を通信デバイスＴｄ又は移動端末に割り当てることによって、フラグメント化されたスペクトルにおいて、より大きなセルスループットを有するための帯域幅の拡張を可能にする。
【００６８】
周波数帯域は、例えば、複数の連続するキャリア周波数からなるグループである。例えば、ＯＦＤＭ（直交周波数分割多重）変調では、複数の連続するキャリア周波数からなるグループは、ＯＦＤＭシンボルのサブキャリアからなるグループである。例えば、３ＧＰＰ  ＬＴＥ（第３世代パートナーシッププロジェクトロングタームエボリューション）では、周波数帯域はコンポーネントキャリアと呼ばれ、１つのコンポーネントキャリアは、所与のキャリア周波数を中心とした１つのＯＦＤＭシンボルの送信帯域幅である。
【００６９】
しかしながら、キャリアアグリゲーションは、通信デバイスに大きな複雑性の負担を課す。通信デバイスＴｄは、適切な無線周波数ハードウェアを有しなくてはならず、高データレートを処理することができなくてはならない。
【００７０】
このため、例えばいくつかのホーム基地局又は中継器のようなローエンドの通信デバイスＴｄは、単一の周波数帯域又はいくつかの基地局ＢＳと比較して低減された量の周波数帯域でしか送信／受信することができない場合がある。
【００７１】
協調マルチポイント送信は、キャリアアグリゲーションを用いてデータを受信することができる少なくとも１つの移動端末ＭＴについて、いくつかの通信デバイスＴｄによって処理することができる。協調マルチポイント送信は移動端末ＭＴに対しトランスペアレントとすることができ、移動端末ＭＴは、信号がいくつかの周波数帯域上で単一の通信デバイスＴｄから到来したかのように動作することができる。例えば、制御シグナリングは、単一の通信デバイス（例えば通信デバイスＴｄ１等）から送信され、各周波数帯域上のデータは、通信デバイスＴｄ１と近傍通信デバイス(neighbouring telecommunication devices)（通信デバイスＴｄ２及びＴｄ３等）に対し送信／受信される。
【００７２】
１つの通信デバイスＴｄがデータを送信及び／又は受信することができる周波数帯域の数は、通信デバイスキャリアアグリゲーション能力と呼ばれる。同様に、移動端末ＭＴも移動端末キャリアアグリゲーション能力を有し、すなわち、移動端末ＭＴは、所与の数（該移動端末ＭＴの技術的設計に従って変動することがある）の周波数帯域上でデータを受信及び／又は送信することができる。
【００７３】
本発明によれば、各通信デバイスは、
−少なくとも１つの移動端末の少なくとも１つの移動端末キャリアアグリゲーション能力を取得し、
−少なくとも１つの移動端末キャリアアグリゲーション能力から通信デバイスの協調キャリアアグリゲーション能力Ｃを求め、
−協調キャリアアグリゲーション能力Ｃを無線セルラー通信ネットワークの集中化デバイスに転送し、
−少なくとも１つの近傍通信デバイスに関連する情報を、無線セルラー通信ネットワークの集中化デバイスに転送し、
−集中化デバイスから、通信デバイスが移動端末との通信のために用いなくてはならない少なくとも１つの周波数帯域を示す情報を受信し、
−少なくとも１つの通信デバイスに、通信デバイスが移動端末との通信のために用いなくてはならない少なくとも１つの周波数帯域を通じて制御シグナリングを転送する。
【００７４】
本発明によれば、集中化デバイス、すなわち基地局ＢＳ又はサーバーＳｅｒｖは、
−通信デバイスから、該通信デバイスの協調移動端末キャリアアグリゲーション能力Ｃを受信し、
−通信デバイスから、該通信デバイスの少なくとも１つの近傍通信デバイスに関連する情報を受信し、
−通信デバイス及び少なくとも１つの近傍通信デバイスについて、該通信デバイスが少なくとも１つの移動端末と通信するのに用いなくてはならない少なくとも１つの周波数帯域と、少なくとも１つの近傍通信デバイスが少なくとも１つの移動端末又は別の移動端末と通信するのに用いなくてはならない少なくとも１つの周波数帯域とを求め、
−通信デバイスに、該通信デバイスが少なくとも１つの移動端末と通信するのに用いなくてはならない少なくとも１つの周波数帯域を該通信デバイスに示す情報を転送する。
【００７５】
図２は、本発明が実施される通信デバイスのアーキテクチャを表す図である。
【００７６】
通信デバイスＴｄは、例えば、バス２０１によって互いに接続されたコンポーネントと、図５に開示するプログラムによって制御されるプロセッサ２００とに基づくアーキテクチャを有する。
【００７７】
バス２０１は、プロセッサ２００を、読み出し専用メモリＲＯＭ２０２、ランダムアクセスメモリＲＡＭ２０３、無線インターフェース２０５にリンクする。バス２０１は、プロセッサ２００をネットワークインターフェース２０６にリンクすることができる。
【００７８】
メモリ２０３は、変数を収容するように意図されたレジスタと、図５に開示するアルゴリズムに関連したプログラムの命令とを含む。
【００７９】
プロセッサ２００は、ネットワークインターフェース２０６の動作を制御し、無線インターフェース２０５の動作を制御する。
【００８０】
読み出し専用メモリ２０２は、図５に開示するアルゴリズムに関連したプログラムの命令を含む。これらの命令は、通信デバイスＴｄに電源が投入されると、ランダムアクセスメモリ２０３へ転送される。
【００８１】
通信デバイスＴｄは、ネットワークインターフェース２０６を通じてバックボーンネットワークに接続することができる。例えば、ネットワークインターフェース２０６は、デジタル加入者線（ＤＳＬ）モデム又はサービス統合デジタル網（ＩＳＤＮ）インターフェース等である。
【００８２】
通信デバイスＴｄは、無線インターフェース２０５又はネットワークインターフェース２０６を通じて、該通信デバイスＴｄが位置するセルの基地局ＢＳ又はサーバーＳｅｒｖに対しメッセージを転送及び／又は受信する。
【００８３】
無線インターフェース２０５は、サーバーＳｅｒｖ又は基地局ＢＳによって通信デバイスＴｄに割り当てられた少なくとも１つの周波数帯域上で信号を転送する手段を備える。
【００８４】
無線インターフェース２０５は、通信デバイスＴｄによってサービングされている少なくとも１つの移動端末ＭＴから測定報告を受信する手段を備えることができる。
【００８５】
通信デバイスＴｄが中継器である場合、ネットワークインターフェース２０６の機能は、無線インターフェース２０５によって実行することができる。
【００８６】
無線インターフェース２０５及びネットワークインターフェース２０６は、通信デバイスＴｄのリソースであり、このリソースは、移動端末ＭＴが遠隔通信デバイスとの通信を確立又は受信するときに無線セルラー通信ネットワークにアクセスするために移動端末ＭＴによって用いられる。
【００８７】
図３は、本発明を実施することができる基地局のアーキテクチャを表す図である。
【００８８】
基地局ＢＳは、例えば、バス３０１によって互いに接続されたコンポーネントと、図５、図６、図７、及び図８に開示するプログラムによって制御されるプロセッサ３００とに基づくアーキテクチャを有する。
【００８９】
バス３０１は、プロセッサ３００を、読み出し専用メモリＲＯＭ３０２、ランダムアクセスメモリＲＡＭ３０３、無線インターフェース３０５、及びネットワークインターフェース３０６にリンクする。メモリ３０３は、変数を収容するように意図されたレジスタと、図５、図６、図７、及び図８に開示するアルゴリズムに関連したプログラムの命令とを含む。
【００９０】
プロセッサ３００は、ネットワークインターフェース３０６の動作を制御し、無線インターフェース３０５の動作を制御する。
【００９１】
読み出し専用メモリ３０２は、図５、図６、図７、及び図８に開示するアルゴリズムに関連したプログラムの命令を含む。これらの命令は、基地局ＢＳに電源が投入されると、ランダムアクセスメモリ３０３へ転送される。
【００９２】
基地局ＢＳは、ネットワークインターフェース３０６を通じてバックボーンネットワークに接続される。例えば、ネットワークインターフェース３０６は、ＤＳＬモデム又はＩＳＤＮインターフェース等である。基地局ＢＳは、ネットワークインターフェース３０６を通じて、基地局ＢＳのセル内に位置する通信デバイスＴｄに対しメッセージを転送及び／又は受信することができる。
【００９３】
無線インターフェース３０５は、基地局ＢＳに割り当てられた少なくとも１つの周波数帯域上で信号を転送する手段を備える。
【００９４】
無線インターフェース３０５は、基地局ＢＳによってサービングされている少なくとも１つの移動端末ＭＴから測定報告を受信する手段を備えることができる。
【００９５】
無線インターフェース３０５及びネットワークインターフェース３０６は、基地局ＢＳのリソースであり、このリソースは、移動端末ＭＴが遠隔通信デバイスとの通信を確立又は受信するときに無線セルラー通信ネットワークにアクセスするために移動端末ＭＴによって用いられる。
【００９６】
図４は、本発明を実施することができるサーバーのアーキテクチャを表す図である。
【００９７】
サーバーＳｅｒｖは、例えば、バス４０１によって互いに接続されたコンポーネントと、図６、図７、及び図８に開示するプログラムによって制御されるプロセッサ４００とに基づくアーキテクチャを有する。
【００９８】
バス４０１は、プロセッサ４００を、読み出し専用メモリＲＯＭ４０２、ランダムアクセスメモリＲＡＭ４０３、及びネットワークインターフェース４０６にリンクする。
【００９９】
ランダムアクセスメモリ４０３は、変数を収容するように意図されたレジスタと、図６、図７、及び図８に開示するアルゴリズムに関連したプログラムの命令とを含む。
【０１００】
プロセッサ４００は、ネットワークインターフェース４０６の動作を制御する。
【０１０１】
読み出し専用メモリ４０２は、図６、図７、及び図８に開示するアルゴリズムに関連したプログラムの命令を含む。これらの命令は、サーバーＳｅｒｖに電源が投入されると、ランダムアクセスメモリ４０３へ転送される。
【０１０２】
サーバーＳｅｒｖは、ネットワークインターフェース４０６を通じてバックボーンネットワークに接続される。例えば、ネットワークインターフェース４０６は、ＤＳＬモデム又はＩＳＤＮインターフェース等である。サーバーＳｅｒｖは、サーバーＳｅｒｖが扱う通信デバイスＴｄに対し、ネットワークインターフェース４０６を通じてメッセージを転送及び／又は受信することができる。
【０１０３】
ここで、サーバーＳｅｒｖを基地局ＢＳ内に含めることができることに留意しなければならない。
【０１０４】
図５及び／又は図６及び／又は図７及び／又は図８に関して以下で説明されるアルゴリズムの全てのステップは、プログラマブルコンピューティングマシン（ＰＣ（パーソナルコンピューター）、ＤＳＰ（デジタルシグナルプロセッサ）、またはマイクロコントローラー等）による命令の組またはプログラムの実行によってソフトウェアにおいて実施することができる。そうでなければ、機械または専用部品（ＦＰＧＡ（フィールドプログラマブルゲートアレイ）若しくはＡＳＩＣ（特定用途向け集積回路）等）によってハードウェアにおいて実施することができる。
【０１０５】
図５を参照して開示されるアルゴリズムは、新たな移動端末ＭＴが通信デバイスＴｄによってサービングされるか若しくはこれ以上サービングされなくなるたびに１回実行することができ、又はアルゴリズムによって用いられる測定値が変化したときに実行することができる。
【０１０６】
図６、図７、及び図８を参照して開示されるアルゴリズムは、新たな移動端末ＭＴが通信デバイスＴｄによってサービングされるか若しくはこれ以上サービングされなくなるたびに数回実行することができ、又はアルゴリズムによって用いられる測定値が変化したときに実行することができる。
【０１０７】
図５は、本発明に従って各通信デバイスによって実行されるアルゴリズムの一例を開示している。
【０１０８】
より正確には、本アルゴリズムは、基地局ＢＳがサービングしている移動端末ＭＴについて、各通信デバイスＴｄのプロセッサ２００によって実行され、及び／又は、基地局ＢＳによって実行される。
【０１０９】
本アルゴリズムは、本アルゴリズムが通信デバイスＴｄによって実行される一例において開示される。
【０１１０】
ステップＳ５００において、プロセッサ２００は、通信デバイスＴｄに関連付けられた少なくとも１つの移動端末の移動端末キャリアアグリゲーション能力を取得する。
【０１１１】
プロセッサ２００は、通信デバイスＴｄに関連付けられた各移動端末の移動端末キャリアアグリゲーション能力を取得することもできる。または、プロセッサ２００は、通信デバイスＴｄに関連付けられ、かつ通信デバイスＴｄによって所与の時点にサービングされている各移動端末（例えば通信デバイスＴｄによって現在サービングされている各移動端末）の移動端末キャリアアグリゲーション能力を取得することもできる。または、プロセッサ２００は、通信デバイスＴｄによって所与の時点にサービングされている各移動端末の移動端末キャリアアグリゲーション能力を取得することもできる。
【０１１２】
少なくとも１つの取得された移動端末キャリアアグリゲーション能力から、プロセッサ２００は、通信デバイスＴｄの協調キャリアアグリゲーション能力(coordinated carrier aggregation capability)Ｃを求める。
【０１１３】
協調キャリアアグリゲーション能力Ｃは、取得された各移動端末キャリアアグリゲーション能力のうちで最大の移動端末キャリアアグリゲーション能力とすることができる。
【０１１４】
協調キャリアアグリゲーション能力Ｃは、取得された各移動端末キャリアアグリゲーション能力の一部分のうちで最大の移動端末キャリアアグリゲーション能力とすることができる。
【０１１５】
協調キャリアアグリゲーション能力Ｃは、通信デバイスＴｄのキャリアアグリゲーション能力と、取得された各移動端末キャリアアグリゲーション能力のうちで最大の移動端末キャリアアグリゲーション能力とのうちの最大値とすることができる。
【０１１６】
協調キャリアアグリゲーション能力Ｃは、通信デバイスＴｄのキャリアアグリゲーション能力と、取得された各移動端末キャリアアグリゲーション能力の一部分のうちで最大の移動端末キャリアアグリゲーション能力とのうちの最大値とすることができる。
【０１１７】
例えば、取得された移動端末キャリアアグリゲーション能力の上記一部分は、全ての取得された移動端末キャリアアグリゲーション能力の中で最も低いほうの値（複数可）を有する、取得された各移動端末キャリアアグリゲーション能力の所定のパーセンテージである。例えば、この所定のパーセンテージは９５％である。
【０１１８】
例えば、取得された移動端末キャリアアグリゲーション能力の上記一部分は、取得された各移動端末キャリアアグリゲーション能力に対応する各移動端末が通信デバイスＴｄによってサービングされる累積時間のうちの９５％サービングされる、取得された移動端末キャリアアグリゲーション能力を表す。
【０１１９】
ここで、通信デバイスＴｄの協調キャリアアグリゲーション能力Ｃを求めるための様々な規則が、経時的に、例えば夜間と昼間とで変動することができることに留意されたい。協調キャリアアグリゲーション能力Ｃもまた、規則が同じままであっても、経時的に、例えば夜間と昼間とで変動することができる。
【０１２０】
次のステップＳ５０１において、プロセッサ２００は、基地局ＢＳ又はサーバーＳｅｒｖへの、通信デバイスＴｄの協調キャリアアグリゲーション能力Ｃの転送を命令する。この命令される転送は、ネットワークインターフェース２０６を通じたものであるか、又は、通信デバイスＴｄが中継器として動作する場合は無線インターフェース２０５を通じたものである。
【０１２１】
次のステップＳ５０２において、プロセッサ２００は、基地局ＢＳ又はサーバーＳｅｒｖへの、通信デバイスキャリアアグリゲーション能力Ｃ’の転送を命令する。この命令される転送は、ネットワークインターフェース２０６を通じたものであるか、又は、通信デバイスＴｄが中継器として動作する場合は無線インターフェース２０５を通じたものである。
【０１２２】
通信デバイスキャリアアグリゲーション能力Ｃ’は、例えば、通信デバイスＴｄのＲＯＭメモリ４０２又はＲＡＭメモリ４０３内に格納される。
【０１２３】
ここで、通信デバイスキャリアアグリゲーション能力Ｃ’が、サーバーＳｅｒｖによって管理されているエリア内又は基地局ＢＳのセル内に位置する全ての通信デバイスＴｄについて同じである場合、プロセッサ２００はステップＳ５０２を実行せず、ステップＳ５０１からステップＳ５０３に移ることに留意しなくてはならない。
【０１２４】
次のステップＳ５０３において、プロセッサ２００は、協調マルチポイント送信を実行することができる（すなわち、その通信デバイスＴｄによってサービングされている少なくとも１つの移動端末に対するデータの送信及び／又は受信を共有することができる）各近傍通信デバイスＴｄを特定する。
【０１２５】
例えば、プロセッサ２００は、通信デバイスＴｄによってサービングされている少なくとも１つの移動端末によって転送された少なくとも１つの測定報告から（又は、無線インターフェースが通信デバイスＴｄによって受信されたダウンリンク信号を測定する手段を備えるときは、無線インターフェース２０５によって実行された測定から）、少なくとも１つの移動端末ＭＴによって所定のしきい値を上回る受信電力で受信できるような信号を送信できる近傍通信デバイスＴｄを特定する。
【０１２６】
例えば、プロセッサ２００は、通信デバイスＴｄによって転送される信号の受信電力と比較して所定のしきい値よりも大きくは劣化していない受信電力で、少なくとも１つの移動端末ＭＴによって受信される信号を転送する近傍通信デバイスＴｄを特定する。
【０１２７】
例えば、プロセッサ２００は、所与の値を上回る信号対干渉雑音比で少なくとも１つの移動端末ＭＴによって受信される信号を転送する近傍通信デバイスＴｄのリストを特定する。
【０１２８】
プロセッサ２００は、近傍通信デバイスＴｄを特定するための上述した例を組み合わせることもできる。
【０１２９】
例えば、少なくとも１つの移動端末ＭＴによって転送される信号について、プロセッサ２００は、他の通信デバイスＴｄによって転送される少なくとも１つの測定報告から、所定のしきい値を上回る受信電力で少なくとも１つの移動端末ＭＴによって転送された信号を受信することができる通信デバイスＴｄを特定する。及び／又は、プロセッサ２００は、通信デバイスＴｄにおける受信電力と比較して所定のしきい値よりも大きくは劣化していない受信電力で少なくとも１つの移動端末ＭＴによって転送される信号を受信することができる通信デバイスＴｄを特定する。及び／又は、プロセッサ２００は、少なくとも１つの移動端末ＭＴによって転送される信号を、所与の値を上回る信号対干渉雑音比（ＳＩＮＲ）で受信することができる通信デバイスＴｄを特定する。
【０１３０】
例えば、プロセッサ２００は、移動端末ＭＴのハンドオーバー履歴から、各近傍通信デバイスＴｄを特定する。
【０１３１】
一般的な観点からは、近傍通信デバイスＴｄは、通信デバイスＴｄによってサービングされている少なくとも１つの移動端末ＭＴと、他の通信デバイスＴｄとの間の経路利得が所与の値を上回るときの、この「他の通信デバイスＴｄ」である。
【０１３２】
例えば、本アルゴリズムが通信デバイスＴｄ１によって実行されるとき、通信デバイスＴｄ２及びＴｄ３は、近傍通信デバイスとして特定される。
【０１３３】
次のステップＳ５０４において、プロセッサ２００は、近傍通信デバイスＴｄのリストの転送を命令する。近傍通信デバイスＴｄのリストは、ネットワークインターフェース２０６を通じて、又は通信デバイスＴｄが中継器として動作している場合は無線インターフェース２０５を通じて、基地局ＢＳ又はサーバーＳｅｒｖに転送される。
【０１３４】
同時に、通信デバイスＴｄと各近傍通信デバイスＴｄとの間のリンク状態（すなわち、当該通信デバイスＴｄと各近傍通信デバイスＴｄとの間の信号の測定値、又は、当該通信デバイスＴｄによってサービングされている少なくとも１つの移動端末ＭＴと、各近傍通信デバイスＴｄとの間の信号の測定値）も、基地局ＢＳ又はサーバーＳｅｒｖに転送することができる。
【０１３５】
次のステップＳ５０５において、プロセッサ２００は、ネットワークインターフェース２０６を通じて、又は通信デバイスＴｄが中継器として動作している場合は無線インターフェース２０５を通じて、通信デバイスＴｄに割り当てられた少なくとも１つの周波数帯域を示す情報の受信を検出する。
【０１３６】
同時に、プロセッサ２００は、通信デバイスＴｄによってサービングされている移動端末ＭＴに対し信号を転送及び／又は受信するための、少なくとも１つの近傍通信デバイスＴｄに割り当てられた少なくとも１つの周波数帯域の受信も検出することができる。
【０１３７】
次のステップＳ５０６において、プロセッサ２００は、通信デバイスＴｄに割り当てられているＣ’個の周波数帯域の全て又はサブセット上で、移動端末への／からの制御シグナリング及びデータを、通信デバイスＴｄによってサービングされている各移動端末ＭＴへ転送することを命令する。
【０１３８】
キャリアアグリゲーションを用いた協調マルチポイント送信は、通信デバイスＴｄに割り当てられているＣ’個の周波数帯域の一部でない周波数帯域を含むキャリアアグリゲーションをシグナリングすることによって、少なくとも１つの近傍通信デバイスＴｄとともに行われる。
【０１３９】
プロセッサ２００は、通信デバイスＴｄによってサービングされていないが近傍通信デバイスＴｄによってサービングされている移動端末ＭＴに対するデータの転送及び／又は受信を命令することができる。
【０１４０】
その後、プロセッサ２００は本アルゴリズムを中断する。
【０１４１】
図６は、本発明の第１の実現モードに従ってサーバー又は基地局によって実行される第１のアルゴリズムの一例を開示している。
【０１４２】
より正確には、本アルゴリズムは、基地局ＢＳのプロセッサ３００又はサーバーＳｅｒｖのプロセッサ４００によって実行される。
【０１４３】
例えば、サーバーＳｅｒｖのプロセッサ４００によって実行されるときの本アルゴリズムを説明する。
【０１４４】
図６のステップＳ６００において、プロセッサ４００は、ネットワークインターフェース４０６を通じて、サーバーＳｅｒｖによって管理されているエリア内に位置する少なくとも１つの通信デバイスＴｄの協調キャリアアグリゲーション能力Ｃの受信を検出する。
【０１４５】
次のステップＳ６０１において、プロセッサ４００は、ネットワークインターフェース４０６を通じて、サーバーＳｅｒｖによって管理されているエリア内に位置する少なくとも１つの通信デバイスＴｄの通信デバイスキャリアアグリゲーション能力Ｃ’の受信を検出する。
【０１４６】
次のステップＳ６０２において、プロセッサ４００は、ネットワークインターフェース４０６を通じて、サーバーＳｅｒｖによって管理されているエリア内に位置する少なくとも１つの通信デバイスＴｄについて、図５のアルゴリズムのステップＳ５０３において取得された近傍通信デバイスのリストの受信及び／又は測定値の受信を検出する。
【０１４７】
次のステップＳ６０３において、プロセッサ４００は、サーバーＳｅｒｖによって管理されているエリア内に位置する全ての通信デバイスＴｄについて、ステップＳ６０２において受信した近傍通信デバイスのリスト及び／又は測定値に従って、近傍通信デバイスＴｄのグラフを求める。
【０１４８】
グラフは、エッジによって接続されたノードの集合である。ノードは通信デバイスであり、近傍通信デバイスはエッジによって接続され、これらのエッジは「接続」とも呼ばれる。２つの近傍通信デバイス間に無線接続が存在するとき、それらの２つの近傍通信デバイスはエッジによって接続されている。無線接続は、互いに近傍として特定された２つの通信デバイスを関連付ける。
【０１４９】
次のステップＳ６０４において、プロセッサ４００は、サーバーＳｅｒｖが担当している各通信デバイスの中で第１の通信デバイスＴｄを検討する。
【０１５０】
次のステップＳ６０５において、プロセッサ４００は、検討されている通信デバイスＴｄについて、近傍通信デバイスＴｄの周波数帯域数がＣ−Ｃ’（すなわち、ＣからＣ’を減算したもの）以下であるか否かを検査する。
【０１５１】
近傍通信デバイスＴｄの周波数帯域数がＣ−Ｃ’以下である場合、プロセッサ４００はステップＳ６０６に移る。
【０１５２】
近傍ノードの周波数帯域数がＣ−Ｃ’を上回る場合、プロセッサ４００はステップＳ６０７に移る。
【０１５３】
ステップＳ６０６において、プロセッサ４００は、通信デバイスＴｄについて、最大でＣ個の周波数帯域に対応する、近傍通信デバイスＴｄの数に１を加えた数に等しいサイズのクリークを形成する。
【０１５４】
クリークは、開示されたように無線接続によって、又はステップＳ６０３後に無線接続を有していない２つの通信デバイス間で作成される仮想無線接続によって、互いにリンクされた通信デバイスを含む。換言すれば、ステップＳ６０３後に互いの近傍通信デバイスでない通信デバイスＴｄ間のエッジ、すなわち接続が、適切なサイズのクリークを形成するために付加される。クリークのサイズはクリーク内の通信デバイスの数である。
【０１５５】
仮想無線接続はエッジである。
【０１５６】
例えば、ステップＳ６０３において、通信デバイスＴｄ１及びＴｄ２間の無線接続、並びに通信デバイスＴｄ１及びＴｄ３間の無線接続が確立されるが、通信デバイスＴｄ２及びＴｄ３間には無線接続が確立されない。
【０１５７】
例えば、通信デバイスＴｄ１が「３」に等しい協調キャリアアグリゲーション能力Ｃを有し、通信デバイスＴｄ１、Ｔｄ２、及びＴｄ３が「１」に等しい通信デバイスキャリアアグリゲーション能力Ｃ’を有する場合、プロセッサ４００は、通信デバイスＴｄ２及びＴｄ３間の仮想無線接続を形成する。このため、プロセッサ４００は、通信デバイスＴｄ１、Ｔｄ２、及びＴｄ３を含むクリークを形成する。
【０１５８】
協調キャリアアグリゲーション能力Ｃを有する通信デバイスＴｄが、Ｃ個の周波数帯域に対応するＸ個の通信デバイスのクリークに属する。Ｘ個の通信デバイスＴｄからなるクリークは、全て互いに接続されたＸ個の通信デバイスの組である。
【０１５９】
その後、プロセッサ４００はステップＳ６０８に移る。
【０１６０】
ステップＳ６０７において、プロセッサ４００は、通信デバイスＴｄについて、Ｃ個の周波数帯域に対応するサイズの複数のクリークを形成する。
【０１６１】
例えば、通信デバイスＴｄ１が「２」に等しい協調キャリアアグリゲーション能力Ｃを有し、通信デバイスＴｄ１、Ｔｄ２、及びＴｄ３が「１」に等しい通信デバイスキャリアアグリゲーション能力Ｃ’を有する場合、プロセッサ４００はサイズ２の２つのクリークを形成する。
【０１６２】
第１のクリークは通信デバイスＴｄ１及びＴｄ２を含み、第２のクリークは通信デバイスＴｄ１及びＴｄ３を含む。
【０１６３】
次のステップＳ６０８において、プロセッサ４００は、形成された２以上のサイズのクリーク（複数の場合はそれぞれ）が有効であるか否かを、ステップＳ６０２において受信した測定値を用いて検査する。
【０１６４】
クリークは、以下の場合には有効ではない。
‐そのクリークの１つの通信デバイスと、通信デバイスＴｄ１によってサービングされている少なくとも１つの移動端末ＭＴのそれぞれとの間の経路利得が所与の値を上回らない場合、又は
‐そのクリークの全ての通信デバイスＴｄからの協調マルチポイント送信を実行することによってもたらされる信号対干渉雑音比の改善若しくはスループットの改善が、そのクリークのより少ない数の通信デバイスＴｄからの協調マルチポイント送信を実行することと比較して、通信デバイスＴｄ１によってサービングされている全ての移動端末ＭＴについて所与の値を上回るわけではない場合。
【０１６５】
有効でないクリークが少なくとも１つある場合、プロセッサ４００はステップＳ６０９に移る。そうでない場合、プロセッサ４００はステップＳ６１１に移る。
【０１６６】
ステップＳ６０９において、プロセッサ４００は各無効クリークを抑制する。
【０１６７】
次のステップＳ６１０において、プロセッサ４００は、無効クリークのそれぞれから、少なくとも２つのクリークを形成する。形成されるクリークは、それぞれ低減された数の通信デバイスＴｄを含む。
【０１６８】
その後、プロセッサ４００はステップＳ６０８に戻る。
【０１６９】
ここで、ステップＳ６０８、Ｓ６０９、及びＳ６１０は任意選択であることに留意しなくてはならない。
【０１７０】
ステップＳ６１１において、プロセッサ４００は、全ての通信デバイスＴｄが検討されたか否かを検査する。
【０１７１】
全ての通信デバイスＴｄが検討された場合、プロセッサ４００は図８のアルゴリズムのステップＳ８００に移る。そうでない場合、プロセッサ４００はステップＳ６１２に移り、別の通信デバイスを検討し、ステップＳ６０５に戻る。
【０１７２】
図７は、本発明の第２の実現モードに従ってサーバー又は基地局によって実行される第２のアルゴリズムの例を開示している。
【０１７３】
より正確には、本アルゴリズム又は本アルゴリズムの少なくとも一部は、基地局ＢＳのプロセッサ３００又はサーバーＳｅｒｖのプロセッサ４００によって実行される。
【０１７４】
以下、本アルゴリズムを説明する。例えば、サーバーＳｅｒｖのプロセッサ４００によって実行されるときのものである。
【０１７５】
図７のステップＳ７００において、プロセッサ４００は、サーバーＳｅｒｖによって管理されているエリア内に位置する少なくとも１つの通信デバイスＴｄの協調キャリアアグリゲーション能力Ｃの受信を、ネットワークインターフェース４０６を通じて検出する。
【０１７６】
次のステップＳ７０１において、プロセッサ４００は、サーバーＳｅｒｖによって管理されているエリア内に位置する少なくとも１つの通信デバイスＴｄの通信デバイスキャリアアグリゲーション能力Ｃ’の受信を、ネットワークインターフェース４０６を通じて検出する。
【０１７７】
次のステップＳ７０２において、プロセッサ４００は、サーバーＳｅｒｖによって管理されているエリア内に位置する少なくとも１つの通信デバイスＴｄについて、図５のアルゴリズムのステップＳ５０３において取得された近傍通信デバイスＴｄのリスト及び／又は測定値の受信を、ネットワークインターフェース４０６を通じて検出する。
【０１７８】
次のステップＳ７０３において、プロセッサ４００は、サーバーＳｅｒｖが担当している各通信デバイスＴｄの中で第１の通信デバイスＴｄを検討する。
【０１７９】
次のステップＳ７０４において、プロセッサ４００は、検討されている通信デバイスＴｄについて、通信デバイスキャリアアグリゲーション能力Ｃ’が１を上回っているか否かを検査する。
【０１８０】
通信デバイスキャリアアグリゲーション能力Ｃ’が１を上回っている場合、プロセッサ４００はステップＳ７０５に移る。そうでない場合、プロセッサ４００はステップＳ７０６に移る。
【０１８１】
ステップＳ７０５において、プロセッサ４００は、通信デバイスを、Ｃ’個の複製通信デバイスＴｄに複製し、これらによって、複製された通信デバイスＴｄを置き換える。複製通信デバイスＴｄは、互いに近傍の通信デバイスであるとみなされ、複製された通信デバイスＴｄの近傍の近傍である。
【０１８２】
この動作後、各通信デバイスキャリアアグリゲーション能力Ｃ’は１に設定される。
【０１８３】
その後、プロセッサ４００はステップＳ７０６に移る。
【０１８４】
ステップＳ７０６において、プロセッサ４００は、全ての通信デバイスＴｄが検討されたか否かを検査する。
【０１８５】
全ての通信デバイスＴｄが検討された場合、プロセッサ４００はステップＳ７０８に移る。そうでない場合、プロセッサ４００はステップＳ７０７に移り、別の通信デバイスを検討し、ステップＳ７０４に戻る。
【０１８６】
ステップＳ７０８において、プロセッサ４００は、サーバーＳｅｒｖによって管理されているエリア内に位置する全ての通信デバイスＴｄについて、ステップＳ７０２において受信した近傍通信デバイスのリスト及び／又は測定値に従って、近傍通信デバイスのグラフを求める。
【０１８７】
次のステップＳ７０９において、プロセッサ４００は、サーバーＳｅｒｖが担当している各通信デバイスＴｄ及び各複製通信デバイスＴｄの中で第１の通信デバイスＴｄを検討する。
【０１８８】
次のステップＳ７１０において、プロセッサ４００は、検討されている通信デバイスＴｄについて、近傍通信デバイスＴｄの数がＣ−１以下であるか否かを検査する。
【０１８９】
近傍ノードの数がＣ−１以下である場合、プロセッサ４００はステップＳ７１１に移る。
【０１９０】
近傍ノードの数がＣ−１を上回っている場合、プロセッサ４００はステップＳ７１４に移る。
【０１９１】
ステップＳ７１１において、プロセッサ４００は、通信デバイスＴｄについて、近傍ノードの数に１を加えた数に等しいサイズのクリークを形成する。
【０１９２】
その後、プロセッサ４００はステップＳ７１５に移る。
【０１９３】
ステップＳ７１４において、プロセッサ４００は、通信デバイスＴｄについて、サイズＣのクリークを複数形成する。
【０１９４】
次のステップＳ７１５において、プロセッサ４００は、形成された２以上のサイズのクリーク（複数の場合はそれぞれ）が有効であるか否かを、ステップＳ７０２において受信した測定値を用いて検査する。
【０１９５】
有効でないクリークが少なくとも１つある場合、プロセッサ４００はステップＳ７１８に移る。そうでない場合、プロセッサ４００はステップＳ７１６に移る。
【０１９６】
ステップＳ７１８において、プロセッサ４００は各無効クリークを抑制する。
【０１９７】
次のステップＳ７１９において、プロセッサ４００は、無効クリークのそれぞれから、少なくとも２つのクリークを形成する。形成されるクリークは、それぞれ低減された数の通信デバイスを含む。
【０１９８】
ここで、ステップＳ７１５、Ｓ７１８、及びＳ７１９は任意選択であることに留意しなくてはならない。
【０１９９】
その後、プロセッサ４００はステップＳ７１５に戻る。
【０２００】
ステップＳ７１６において、プロセッサ４００は、全ての通信デバイスＴｄが検討されたか否かを検査する。
【０２０１】
全ての通信デバイスＴｄが検討された場合、プロセッサ４００は図８のアルゴリズムのステップＳ８００に移る。そうでない場合、プロセッサ４００はステップＳ７１７に移り、別の通信デバイスを検討し、ステップＳ７１０に戻る。
【０２０２】
図８は、本発明の第１の実現モード及び第２の実現モードに従ってサーバー又は基地局によって実行される第３のアルゴリズムの一例を開示している。
【０２０３】
ステップＳ８００において、プロセッサ４００は、各通信デバイスＴｄについて、いずれの周波数帯域（１つまたは複数）を通信デバイスＴｄに割り当てなくてはならないかを求める。これは、１つの周波数が、同じ通信デバイスＴｄに２回割り当てられないこと、及び／又は、同じクリークに属する２つの通信デバイスＴｄ（すなわち、無線接続又は仮想無線接続によってリンクされた２つの通信デバイスＴｄ）に対して割り当てられないことを保証して行われる。
【０２０４】
例えば、プロセッサ４００はグラフ彩色アルゴリズムを実行する。
【０２０５】
グラフ彩色は、グラフラベリングの特殊なケースである。グラフ彩色は、特定の制約を受けるグラフの通信デバイスＴｄに対する、ラベル（従来、「色」と呼ばれている）の割当てである。プロセッサ４００は、通信デバイス彩色を実行し、２つの隣接する通信デバイスＴｄ（すなわち、エッジ又は無線接続又は仮想無線接続によって接続されたノード）が同じ色を共有しないように、各通信デバイスＴｄに１つ又は複数の色を割り当てる。
【０２０６】
本発明におけるグラフ彩色アルゴリズムは、２つの隣接する通信デバイスが、移動端末ＭＴに対しデータを送信／受信するのに同じ周波数帯域を用いないように、与えられたグラフについて最小数の周波数帯域（色）を見つけるアルゴリズムである。
【０２０７】
貪欲彩色アルゴリズムは、グラフ彩色のための最も一般的でよく知られたアルゴリズムのうちの１つである。貪欲彩色法の原理は、特定の順序に従ってグラフの各通信デバイスＴｄを検討し、その通信デバイスＴｄに、各隣接通信デバイスＴｄと衝突しない最初に利用可能な色（すなわち周波数帯域）を割り当てることである。
【０２０８】
例えば、グラフ彩色アルゴリズムは、元のグラフをクリークのツリーに分解することによって開始するツリー分解グラフ彩色又はクリーク分解グラフ彩色とすることができ、次に所与の順序付けを用いて、クリークに対し貪欲彩色が実行される。
【０２０９】
異なる順序付けによって異なるグラフ彩色アルゴリズムが規定される。
【０２１０】
例えば、順序付けは最大先頭彩色（largest first colouring）として規定される。まず、グラフ内の最大次数を有する通信デバイスＴｄから開始して、通信デバイスＴｄに周波数帯域が割り当てられる。通信デバイスＴｄの次数は、その通信デバイスＴｄの接続の数である。
【０２１１】
例えば、順序付けはランダム彩色として規定される。まず、ランダム順序付けに従って各通信デバイスＴｄに周波数帯域が割り当てられる。
【０２１２】
例えば、順序付けは、辞書順彩色（lexicographical colouring）として規定される。まず、通信デバイスＴｄの位置（例えば基地局に対する位置）に基づく順序に従って、通信デバイスＴｄに周波数帯域が割り当てられる。
【０２１３】
例えば、順序付けは、再帰的に計算された順序付けを用いた最小末尾彩色（smallest last colouring）として規定される。開始時には、現在の順序付けは空である。第１のステップにおいて、最も低い次数を有する通信デバイスＴｄが特定され、現在の順序付けの最初の位置に入れられる。第２のステップにおいて、その通信デバイスＴｄ及びその接続が取り除かれ、残りの通信デバイスＴｄの次数が再計算される。順序付けが完了するまで第１のステップ及び第２のステップが再実行される。
【０２１４】
例えば、通信デバイスＴｄ１が協調キャリアアグリゲーション能力Ｃ＝３を有し、通信デバイスＴｄ１、Ｔｄ２、及びＴｄ３がキャリアアグリゲーション能力Ｃ’＝１を有する場合、通信デバイスＴｄ１は２つの近傍通信デバイスＴｄ２及びＴｄ３とクリークを形成する。
【０２１５】
通信デバイスＴｄ１、Ｔｄ２、及びＴｄ３は、彩色後に異なる色（すなわち異なる周波数帯域）を得る。３つの周波数帯域のキャリアアグリゲーションは、３つの異なる周波数帯域において、３つの通信デバイスＴｄ１〜Ｔｄ３から同じ移動端末にデータを送信し、かつ／又は３つの通信デバイスＴｄ１〜Ｔｄ３において同じ移動端末からデータを受信することによって実行することができる。
【０２１６】
次のステップＳ８０１において、プロセッサ４００は、クリークのために出力された色の総数が、利用可能な色の量（すなわち利用可能な周波数帯域数）を上回っているか否かを検査する。
【０２１７】
クリークのために出力された色の総数が、利用可能な色の量を上回っている場合、プロセッサ４００はステップＳ８０２に移る。そうでない場合、プロセッサ４００はステップＳ８０３に移る。
【０２１８】
ステップＳ８０２において、プロセッサ４００は、近傍のグラフの少なくとも１つの通信デバイスについてＣの値を低減する。
【０２１９】
例えば、プロセッサ４００は、少なくとも１つの通信デバイスの協調キャリアアグリゲーション能力Ｃを任意に低減する。かつ／又は、プロセッサ４００は、取得された移動端末キャリアアグリゲーション能力の一部分（協調キャリアアグリゲーション能力Ｃを求めるためにその最大値が取られるもの）を低減する。かつ／又は、プロセッサ４００は、ステップＳ６０２若しくはＳ７０２において受信した測定値を用いて、弱い経路利得（weak path gain）に対応する或る無線接続及び／若しくは仮想無線接続を抑制する。かつ／又は、プロセッサ４００は、或る仮想無線接続を抑制する。かつ／又は、プロセッサ４００は、十分に良好な性能改善を保証しないマルチポイント送信に対応する或るクリークを抑制する。かつ／又は、プロセッサ４００は、通信デバイスＴｄ間の不良なバックホールリンク条件（すなわち低いスループット及び／若しくは高いレイテンシ）に対応する或る無線接続を抑制する。
【０２２０】
その後、プロセッサ４００は、図６のステップＳ６０４若しくは図７のＳ７０９に戻るか、又はステップＳ８００に戻る。
【０２２１】
ステップＳ８０３において、プロセッサ４００は、クリークのために出力された色の総数が、利用可能な色の量（すなわち利用可能な周波数帯域数）に等しいか否かを検査する。
【０２２２】
クリークのために出力された色の総数が、利用可能な色の量に等しい場合、プロセッサ４００はステップＳ８０４に移る。そうでない場合、プロセッサ４００はステップＳ８０５に移る。
【０２２３】
ステップＳ８０４において、プロセッサ４００は、各通信デバイスＴｄに割り当てられた少なくとも１つの周波数帯域を示す情報を、各通信デバイスＴｄに転送することを命令する。
【０２２４】
同時に、プロセッサ４００は、通信デバイスＴｄによってサービングされている移動端末に対し信号を転送及び／又は受信するために、近傍通信デバイスに割り当てられた少なくとも１つの周波数帯域を転送することができる。
【０２２５】
同時に、プロセッサ４００は、各通信デバイスに、そのクリーク（１つまたは複数）に属する通信デバイスの識別子を転送することを命令することができる。
【０２２６】
同時に、プロセッサ４００は、各通信デバイスに、その変更された協調キャリアアグリゲーション能力を転送することを命令することができる。
【０２２７】
その後、プロセッサ４００は本アルゴリズムを中断し、少なくとも１つの協調キャリアアグリゲーション能力Ｃの受信まで、及び／又は、少なくとも１つの通信デバイスキャリアアグリゲーション能力Ｃ’の受信まで、及び／又は、少なくとも１つの新たな近傍通信デバイスの受信まで、及び／又は、サーバーＳｅｒｖが扱う少なくとも１つの通信デバイスＴｄの少なくとも１つの新たな報告の受信まで、待つ。
【０２２８】
ステップＳ８０５において、プロセッサ４００は近傍のグラフの少なくとも１つの通信デバイスについてＣの値を増大させる。
【０２２９】
例えば、プロセッサ４００は、少なくとも１つの通信デバイスの協調キャリアアグリゲーション能力Ｃを任意に増大させる。かつ／又は、プロセッサ４００は、取得された移動端末キャリアアグリゲーション能力の一部分（協調キャリアアグリゲーション能力Ｃを求めるためにその最大値が取られるもの）を増大させる。かつ／又は、プロセッサ４００は、ステップＳ６０２若しくはＳ７０２において受信した測定値を用いて、強い経路利得（strong path gain）に対応する或る無線接続及び／若しくは仮想無線接続を付加する。かつ／又は、プロセッサ４００は、或る仮想無線接続を付加する。かつ／又は、プロセッサ４００は、十分に良好な性能改善を保証しないマルチポイント送信に対応する或るクリークを付加する。かつ／又は、プロセッサ４００は、通信デバイスＴｄ間の強力なバックホールリンク条件（すなわち高いスループット及び／若しくは低いレイテンシ）に対応する或る無線接続を付加する。
【０２３０】
その後、プロセッサ４００は、図６のステップＳ６０４若しくは図７のＳ７０９に戻るか、又はステップＳ８００に戻る。
【０２３１】
ここで、ステップＳ６０４〜Ｓ６１２又はＳ７０９〜Ｓ７１７は、Ｃの値が変更される通信デバイスＴｄ（１つまたは複数）についてのみ実行することができることに留意しなくてはならない。
【０２３２】
当然のことながら、本発明の範囲から逸脱することなく、上述した本発明の実施形態に対して多くの変更を行うことができる。
【図１】
0006012989.tif 000002
【図２】
0006012989.tif 000003
【図３】
0006012989.tif 000004
【図４】
0006012989.tif 000005
【図５】
0006012989.tif 000006
【図６】
0006012989.tif 000007
【図７】
0006012989.tif 000008
【図８】
0006012989.tif 000009